(57)【特許請求の範囲】
【請求項１】
手摺り部と、
この手摺り部の端部を連結して回動軸を構成する回動軸部と、
この回動軸部を保持し、壁面に固定されるベース部と、
を備えており、
前記手摺り部が、前記壁面から略水平方向に延びた使用状態と、前記壁面に沿って略垂直方向に延びた退避状態との間を回動自在に前記壁面に取り付けられる跳ね上げ式手摺りであって、
前記回動軸部は、
前記手摺り部が前記使用状態から前記退避状態に回動する方向に弾性力を付与するコイル状のねじりバネと、前記ベース部に固定され、規制部を有し、前記ねじりバネの一端部を連結する固定部材と、前記固定部材に対して回転自在に取り付けられ、当接面を形成した当接部を有し、前記ねじりバネの他端部を連結した回転部材とを具備し、前記規制部が前記当接面に当接して前記ねじりバネをねじった状態に保持したバネユニットと、
このバネユニットを収納した筒状の外殻部と、
を有しており、
前記ねじりバネは、一端部及び／又は他端部が前記ねじりバネの中心軸から外れており、
前記ねじりバネの中心軸から外れた一端部及び／又は他端部を連結している前記固定部材及び／又は前記回転部材は、前記ねじりバネの中心軸から離れた端部の周方向の一部分の内面を案内するガイド部を有していることを特徴とする跳ね上げ式手摺り。
【請求項２】
前記固定部材は、前記ベース部に固定する基部と、この基部から前記手摺り部の回動軸線上に延び、前記ねじりバネが周囲を覆う軸部とを有し、
前記回転部材は、前記軸部の先端面に回転可能に取り付けられており、
前記基部及び／又は前記回転部材は、前記ねじりバネの中心軸から外れた位置で前記ねじりバネの一端部又は他端部を連結していることを特徴とする請求項１記載の跳ね上げ式手摺り。
【請求項３】
前記バネユニットは前記手摺り部が前記退避状態で前記ねじりバネをねじられた状態に保持していることを特徴とする請求項１又は２記載の跳ね上げ式手摺り。
【請求項４】
前記固定部材又は前記回転部材は、前記ねじりバネの中心軸に直交し、前記ねじりバネの端部を挿通する挿通孔を有していることを特徴とする請求項１乃至３のいずれか１項記載の跳ね上げ式手摺り。
【請求項５】
前記ねじりバネの一端部及び／又は他端部は、中心軸から外れた位置で中心軸に平行な方向に延びており、
前記ねじりバネの中心軸から外れた位置で中心軸に平行な方向に延びた前記ねじりバネの一端部及び／又は他端部が連結している前記固定部材及び／又は前記回転部材は、前記ねじりバネの一端部又は他端部を係止し、前記回転部材の回転方向に直交する係止面を有していることを特徴とする請求項１乃至４のいずれか１項記載の跳ね上げ式手摺り。
【発明の詳細な説明】
【技術分野】
【０００１】
本発明は跳ね上げ式手摺りに関する。
【背景技術】
【０００２】
特許文献１には従来の跳ね上げ式手摺りが開示されている。この跳ね上げ式手摺りは、手摺り部を備えており、壁面に取り付けることができる。手摺り部は、壁面から略水平方向に延びた使用状態と、壁面に沿って略垂直方向に延びた退避状態との間を回動自在に設けられている。また、この跳ね上げ式手摺りは、手摺り部を連結した回動軸部と、壁面に固定し、回動軸部を保持するベース部とを備えている。回動軸部は、ねじりバネと、手摺り部に連結して回転する回転部材と、これらを収納する外殻部とを有している。ねじりバネはコイル状である。ねじりバネは、コイルの径方向であり、且つコイルの外側に向かって両端部が延びている。このねじりバネの一端部は回転部材に設けられた係止ピンに係止し、他端部は外殻部材に設けられた係止ピンに係止している。このねじりバネは手摺り部が使用状態から退避状態に回動する方向に弾性力を付与することができる。
【０００３】
この跳ね上げ式手摺りは、手摺り部を退避状態から使用状態に下ろす際、ねじりバネの弾性力が手摺り部に付与されるため、手摺り部が急激に下りることを防止することができる。また、この跳ね上げ式手摺りは、手摺り部を使用状態から退避状態に跳ね上げる際、ねじりバネの弾性力に助けられて、手摺り部を軽い力で跳ね上げることができる。
【先行技術文献】
【特許文献】
【０００４】
【特許文献１】特開２００５−２８２０１４号公報
【発明の概要】
【発明が解決しようとする課題】
【０００５】
しかし、特許文献１の跳ね上げ式手摺りでは、係止ピンに係止するコイル状のねじりバネの両端部がコイルの外側に向かって延びている。コイル状のねじりバネの弾性力はコイルの中心軸を中心とした回転力として発揮されるため、コイルの外側に向かって延びたねじりバネの両端部に回転力（弾性力）が加わると、ねじりバネのコイル形状が不規則に変形してしまうおそれがある。つまり、コイル状のねじりバネの中心軸がよじれてしまうおそれがある。ねじりバネのコイル形状が不規則に変形してしまう（コイル状のねじりバネの中心軸がよじれてしまう）と、ねじりバネが他の部品に摺動し、手摺り部がスムーズに回動しなくなったり、摩耗や、異音の発生の原因になったりするおそれがある。
【０００６】
本発明は、上記従来の実情に鑑みてなされたものであって、良好に使用することができる跳ね上げ式手摺りを提供することを解決すべき課題としている。
【課題を解決するための手段】
【０００７】
本発明の跳ね上げ式手摺りは、手摺り部と、
この手摺り部の端部を連結して回動軸を構成する回動軸部と、
この回動軸部を保持し、壁面に固定されるベース部と、
を備えており、
前記手摺り部が、前記壁面から略水平方向に延びた使用状態と、前記壁面に沿って略垂直方向に延びた退避状態との間を回動自在に前記壁面に取り付けられる跳ね上げ式手摺りであって、
前記回動軸部は、
前記手摺り部が前記使用状態から前記退避状態に回動する方向に弾性力を付与するコイル状のねじりバネと、前記ベース部に固定され、規制部を有し、前記ねじりバネの一端部を連結する固定部材と、前記固定部材に対して回転自在に取り付けられ、当接面を形成した当接部を有し、前記ねじりバネの他端部を連結した回転部材とを具備し、前記規制部が前記当接面に当接して前記ねじりバネをねじった状態に保持したバネユニットと、
このバネユニットを収納した筒状の外殻部と、
を有しており、
前記ねじりバネは、一端部及び／又は他端部が前記ねじりバネの中心軸から外れており、
前記ねじりバネの中心軸から外れた一端部及び／又は他端部を連結している前記固定部材及び／又は前記回転部材は、前記ねじりバネの中心軸から離れた端部の周方向の一部分の内面を案内するガイド部を有していることを特徴とする。
【０００８】
この跳ね上げ式手摺りは、コイル状のねじりバネの中心軸から外れた位置にねじりバネの一端部及び／又は他端部があり、ねじりバネの中心軸から外れた位置で固定部材、又は回転部材に連結されている。コイル状のねじりバネの弾性力はコイルの中心軸を中心とした回転力として発揮されるため、中心軸から外れた位置のねじりバネの一端部及び／又は他端部に回転力（弾性力）が加わると、ねじりバネのコイル形状が不規則に変形してしまう（コイル状のねじりバネの中心軸がよじれてしまう）おそれがある。しかし、この跳ね上げ式手摺りは、ねじりバネの中心軸から外れた端部の内面を案内するガイド部によって、ねじりバネのコイル形状の不規則な変形を防止することができる。このため、ねじりバネが他の部品に摺動し、手摺り部がスムーズに回動しなくなったり、摩耗や、異音の発生の原因になったりすることを防止することができる。
【０００９】
したがって、本発明の跳ね上げ式手摺りは良好に使用することができる。
【００１０】
前記固定部材は、前記ベース部に固定する基部と、この基部から前記手摺り部の回動軸線上に延び、前記ねじりバネが周囲を覆う軸部とを有し、
前記回転部材は、前記軸部の先端面に回転可能に取り付けられており、
前記基部及び／又は前記回転部材は、前記ねじりバネの中心軸から外れた位置で前記ねじりバネの一端部又は他端部を連結し得る。
【００１１】
この場合、コイル状のねじりバネは、コイルの中心軸から外れた位置で、固定部材の基部及び／又は回転部材に連結されているが、ガイド部によって、ねじりバネのコイル形状の不規則な変形を防止することができるため、ねじりバネが軸部等の他の部品に摺動しない。このため、固定部材に対して回転部材が良好に回転することができるため、手摺り部がスムーズに回動し、摩耗や、異音の発生を防止することができる。
【００１２】
前記バネユニットは前記手摺り部が前記退避状態で前記ねじりバネをねじられた状態に保持し得る。この場合、手摺り部が退避状態である際にも、ねじりバネの弾性力を手摺り部に付与することができる。このため、手摺り部が退避状態から意図せずに下方に回動することを防止することができる。
【００１３】
前記固定部材又は前記回転部材は、前記ねじりバネの中心軸に直交し、前記ねじりバネの端部を挿通する挿通孔を有し得る。この場合、コイル状のねじりバネの弾性力はコイルの中心軸を中心とした回転力として発揮される。このため、ねじりバネの中心軸に直交する挿通孔にねじりバネの端部を挿通することによって、ねじりバネは、よじれることなく、回転力（弾性力）を良好に発揮することができる。また、ねじりバネは、その端部をねじりバネの中心軸に直交する挿通孔に挿通することによって固定部材に連結することができる。このため、ねじりバネと固定部材との連結構造がねじりバネの長さ方向に伸びず、バネユニットの長さをコンパクトにすることができる。
【００１４】
前記ねじりバネの一端部及び／又は他端部は、中心軸から外れた位置で中心軸に平行な方向に延びており、
前記ねじりバネの中心軸から外れた位置で中心軸に平行な方向に延びた前記ねじりバネの一端部及び／又は他端部が連結している前記固定部材及び／又は前記回転部材は、前記ねじりバネの一端部又は他端部を係止し、前記回転部材の回転方向に直交する係止面を有し得る。
【００１５】
この場合、ねじりバネの一端部及び／又は他端部が回転方向に直交する係止面に係止するため、ねじりバネの弾性力（回転方向に働く力）を回転部材が回転する方向に確実に付与することができる。
【００１６】
前記固定部材は前記回転部材の回転を規制する規制部を有し、前記回転部材はこの規制部に当接する当接部を有している。この場合、固定部材に対して回転部材がねじりバネの弾性力によって回転することを制限することができる。つまり、バネユニットにおいて、コイル状のねじりバネを固定部材と回転部材との間にねじった状態に保持することができる。
【図面の簡単な説明】
【００１７】
【図１】実施例の跳ね上げ式手摺りを示す斜視図である。
【図２】実施例の跳ね上げ式手摺りの分解図である。
【図３】実施例の回動軸部の分解図である。
【図４】実施例のバネユニットの断面図である。
【図５】実施例のバネユニットの要部を示す斜視図である。
【図６】実施例のバネユニットの要部を示す部分断面図である。
【図７】実施例の回動軸部を示す斜視図である。
【図８】実施例の跳ね上げ式手摺りにおいて、手摺り部が退避状態にあるときの要部を示す断面図である。
【図９】実施例の跳ね上げ式手摺りにおいて、手摺り部が使用状態にあるときの回動軸部を示す断面図である。
【図１０】実施例の跳ね上げ式手摺りにおいて、手摺り部が使用状態にあるときの要部を示す断面図である。
【図１１】他の実施例の跳ね上げ式手摺りを示す斜視図である。
【発明を実施するための形態】
【００１８】
本発明の跳ね上げ式手摺りを具体化した実施例を図面を参照しつつ説明する。
【００１９】
＜実施例＞
実施例の跳ね上げ式手摺りは、図１及び図２に示すように、手摺り部１０と、回動軸部２０と、ベース部３０とを備えている。ベース部３０は、縦長矩形の平板状に形成された基板部３１と、基板部３１の左右両辺の中間部から前方へ延びる一対の平板状の保持片３２とを有している。基板部３１の裏面を壁面に接するようにして、壁面から突出したボルト３３Ａを基板部３１の取付孔３１Ａに挿通し、ナット３３Ｂを締め付けることによって、ベース部３０は壁面に固定されている。
【００２０】
基板部３１は前面上部に取り付けた合成ゴム製の円柱形状の当たり止め部３４を有している。当たり止め部３４は、手摺り部１０が壁面に沿って略垂直方向に延びた退避状態Ａになると、手摺り部１０が当接するように設けられている。このため、手摺り部１０は、退避状態Ａにおいて、壁面に接触しないように設けられている。
【００２１】
回動軸部２０は外形が円柱状である。回動軸部２０はベース部３０の保持片３２の間に軸方向が水平になるように左右両端が保持されている。手摺り部１０は、回動軸部２０の左右中央の側面から直線状に延びた第１直線部１１、この第１直線部１１と平行に設けられた第２直線部１２、第１直線部１１と第２直線部１２とを連結し、手摺り部１０の先端部を形成する円弧状の曲線部１３、及び回動軸部２０に近い位置で第１直線部１１と第２直線部１２とを連結する連結部１４を有している。第１直線部１１、第２直線部１２、曲線部１３及び連結部１４はステンレスの円管によって形成されている。
【００２２】
また、手摺り部１０は、手摺り部１０を壁面から略水平方向に延びた使用状態Ｂにロックするロック機構４０を第１直線部１１内に収納している。ロック機構４０は、手摺り部１０の先端側の第１直線部１１から第２直線部１２に向かって延びる円筒形状の操作レバー４１を有している。操作レバー４１は、第１直線部１１に沿って往復移動することができ、ロック機構４０が手摺り部１０を使用状態にロックしている状態を解除することができる。
【００２３】
第２直線部１２は、第１直線部１１よりベース部３０側へ長く形成されており、端部にエンドキャップ１５が取り付けられている。手摺り部１０が使用状態Ｂになると、エンドキャップ１５の後端面がベース部３０の基板部３１の前面下部に当接する。このため、手摺り部１０は使用状態Ｂより下方に下がらないように設けられている。
【００２４】
回動軸部２０は、図２及び図３に示すように、バネユニット２１と、ロータリーダンパー２２と、外殻部２３とを有している。外殻部２３は、円筒形状であり、両端が開口している。また、外殻部２３は、中央部の側面から第１直線部１１の回動軸部２０側を構成する第１管部１１Ａと、この第１管部１１Ａの側面に一端を連結した連結部１４と、この連結部１４の他端に連結し、第２直線部１２のエンドキャップ１５が設けられた端部側を構成する第２管部１２Ａとを一体に形成している。さらに、外殻部２３は、第１管部１１Ａの内側に位置する側面に、ロック機構４０の後述するストッパー軸４２が挿通する第１貫通孔２３Ａと、バネユニット２１の後述する回転部材５２に外殻部２３を固定するためのボルトを挿通する２個の第２貫通孔２３Ｂとを有している。
【００２５】
第１管部１１Ａは、ロック機構４０のスプリング部４３と、ストッパー軸４２と、ストッパー軸４２に連通するジョイント軸４４の一部とを収納している。スプリング部４３はストッパー軸４２が回動軸部２０の方向に移動するようにストッパー軸４２に弾性力を付与している。
【００２６】
手摺り部１０は、図２に示すように、第１直線部１１の手摺り部１０の先端側の直線部１１Ｂと、曲線部１３と、第２直線部１２の手摺り部１０の先端側の直線部１２Ｂとを構成する第３管部材１６を有している。第３管部材１６はステンレス製の円管をＵ字状に曲げることによって形成されている。第３管部材１６は、一端部を第１管部１１Ａ内に挿入し、他端部を第２管部１２Ａ内に挿入する。つまり、手摺り部１０の第１直線部１１は、第１管部１１Ａと、それに連続する第３管部材１６の直線部１１Ｂとによって構成しており、手摺り部１０の第２直線部１２は、第２管部１２Ａと、それに連続する第３管部材１６の直線部１２Ｂとによって構成している。
【００２７】
第１管部１１Ａに連続する第３管部材１６の直線部１１Ｂ内には、ロック機構４０のジョイント軸４４が収納されている。ジョイント軸４４は先端部に操作レバー４１の取付部４５が設けられている。第３管部材１６はこの取付部４５に対応する位置に第３管部材１６に沿ったスリット１７が貫設されている。このスリット１７を挿通する取付棒４６を介して操作レバー４１が取り付けられている。操作レバー４１は第１直線部１１に沿って往復移動することができる。このため、操作レバー４１をスプリング部４３の弾性力に抗して手摺り部１０の先端側に移動させることができ、ロック機構４０のストッパー軸４２の先端をバネユニット２１の後述する固定部５１に設けられた凹部５５Ｄから引き出すことができる。このようにして、ロック機構４０が手摺り部１０を使用状態Ｂにロックしている状態を解除することができる。
【００２８】
バネユニット２１は、図２及び図３に示すように、ベース部３０の右側（図２において右側）の保持片３２に固定する固定部材５１と、この固定部材５１に対して回転自在に取り付けられた回転部材５２と、固定部材５１と回転部材５２との間にねじった状態に保持したコイル状のねじりバネ５３とを有し、これらを組み付けた状態で一体化している。
【００２９】
コイル状のねじりバネ５３は、図２〜図４に示すように、一端部である右側（図３において右側）の端部５３Ａをコイルの円周部からコイルの中心軸方向に折り曲げ、コイルの中心軸に直交するように形成している。また、コイル状のねじりバネ５３は、図２、図３、図５、及び図６に示すように、他端部である左側（図３において左側）の端部５３Ｂをコイル状の円周部からコイルの中心軸と平行になるように折り曲げている。つまり、ねじりバネ５３の左側の端部５３Ｂはコイルの中心軸から外れて、中心軸に平行な方向に延びている。
【００３０】
固定部材５１は、図２〜図４に示すように、基部５４と、手摺り部１０の回動軸線上に延び、コイル状のねじりバネ５３が周囲を覆う軸部５５と、ねじりバネの右側の端部を挿入する挿通孔５６とを有している。基部５４はベース部３０の右側の保持片３２にボルト３２Ａによって固定される。この基部５４は、外殻部２３の外周面よりわずかに小さい外周径を有した円盤状の第１円盤部５４Ａと、この第１円盤部５４Ａの左側（図３において左側）の側面に連続して形成され、第１円盤部５４Ａよりも径の小さい第２円盤部５４Ｂとを有している。また、この基部５４は第２円盤部５４Ｂの外周面に嵌合したベアリング部材５４Ｃを有している。このベアリング部材５４Ｃは、内周面が第２円盤部５４Ｂの外周面に接しており、外周面が外殻部２３の右側（図３において右側）の開口部２３Ｃの内周面に接する大きさに形成されている。
【００３１】
固定部材５１の軸部５５は、図２〜図５に示すように、円柱状の軸本体５５Ａと、軸本体５５Ａの左側（図３において左側）の端部の側面の一部分から扇状に拡がった規制部５５Ｂとを有している。規制部５５Ｂは軸本体５５Ａの円周方向に直交する面５５Ｃが回転部材５２の後述する当接部５８の当接面５８Ａに当接することによって、固定部材５１に対して回転部材５２がねじりバネ５３の弾性力によって回転することを制限することができる。つまり、バネユニット２１において、コイル状のねじりバネ５３を固定部材５１と回転部材５２との間にねじった状態に保持することができる。規制部５５Ｂは、外方向に向けて開口し、ロック機構４０のストッパー軸４２の先端が挿入される凹部５５Ｄが側面に形成されている。
【００３２】
また、固定部材５１の軸部５５は、右側（図３において右側）の端面に中心軸に直交する溝部５６Ａが形成されている。軸部５５と基部５４とは同軸上に連結される。これによって、軸部５５の溝部５６Ａと基部５４の側面とが、ねじりバネ５３の右側の端部５３Ａを挿入する挿通孔５６を形成している。つまり、軸部５５の溝部５６Ａにねじりバネ５３の右側の端部５３Ａを収納した状態で、軸部５５と基部５４とをボルト５１Ａによって連結することによって、ねじりバネ５３の中心軸に直交した挿通孔５６が形成され、この挿通孔５６にねじりバネ５３の右側の端部５３Ａを挿入した状態にすることができる。
【００３３】
コイル状のねじりバネ５３の弾性力はコイルの中心軸を中心とした回転力として発揮される。このため、ねじりバネ５３の中心軸に直交する挿通孔５６にねじりバネの右側の端部５３Ａを挿通することによって、ねじりバネ５３は、よじれることなく、回転力（弾性力）を良好に発揮することができる。また、ねじりバネ５３は、右側の端部５３Ａをねじりバネ５３の中心軸に直交する挿通孔５６に挿通することによって固定部材５１に連結することができる。このため、ねじりバネ５３と固定部材５１との連結構造がねじりバネ５３の長さ方向に伸びず、バネユニット２１の長さをコンパクトにすることができる。
【００３４】
回転部材５２は、図２〜図６に示すように、固定部材５１に対して同軸上であり、軸部５５の左側（図３において左側）の先端面に摺動するようにして、回転自在に取り付けられている。この回転部材５２は、円盤状の本体部５７と、この本体部５７の外周部の一部分から軸線に平行に延びた当接部５８と、当接部５８の内側（固定部材５１の軸部５５側）に連続して形成され、当接部５８よりも長く延びたガイド部５９とを有している。当接部５８及びガイド部５９は、回転部材５２の軸線に直交する断面形状が円弧状に湾曲した横長矩形状に形成されている。
【００３５】
回転部材５２の本体部５７は、当接部５８の回転部材５２の回転方向に直交する側面（係止面）５８Ｂの近傍にコイル状のねじりバネ５３の左側の端部５３Ｂを挿入して連結する連結孔５７Ａを有している。連結孔５７Ａは回転部材５２の本体部５７の外周部に貫設されており、回転部材５２の回転軸に平行な方向に延びている。ねじりバネ５３の左側の端部５３Ｂは連結孔５７Ａから当接部５８の係止面５８Ｂに沿って延びており、ねじりバネ５３がねじられるに従って、この係止面５８Ｂにねじりバネ５３の左側の端部５３Ｂが接触して係止する。このため、ねじりバネ５３の弾性力（回転方向に働く力）を確実に回転部材５２が回転する方向に付与することができる。
【００３６】
また、ガイド部５９は、外側面５９Ａが円弧状に湾曲しており、この外側面５９Ａがコイル状のねじりバネ５３の左側の端部５３Ｂの内面に接触することによって、コイル状のねじりバネ５３の左側の端部５３Ｂの内面を案内している。これによって、ねじりバネ５３のコイル形状の不規則な変形を防止することができる。このため、ねじりバネ５３が他の部品に摺動し、手摺り部がスムーズに回動しなくなったり、摩耗や、異音の発生の原因になったりすることを防止することができる。
【００３７】
また、回転部材５２の本体部５７は、図３に示すように、左側の側面５７Ｂにロータリーダンパー２２の後述する嵌合凸部２２Ｂに嵌合する嵌合凹部５７Ｃを設けている。この嵌合凹部５７Ｃは、側面５７Ｂに平行な断面形状が回転部材５２の回転軸に直交する略横長矩形状に形成されており、一方の長辺の中央部が外側に円弧状に凹んでいる。この形状は、ロータリーダンパー２２の嵌合凸部２２Ｂと相似形であり、嵌合凸部２２Ｂが嵌合凹部５７Ｃに挿入される向きが制限されている。
【００３８】
また、回転部材５２の本体部５７は、図２及び図３に示すように、回動軸部２０の外殻部２３の側面を貫設した第２貫通孔２３Ｂを挿通したボルトがねじ込まれる２個の螺子孔５７Ｄが外周面に設けられている。このため、第１管部１１Ａ内から第２貫通孔２３Ｂを介してボルトを螺子孔５７Ｄにねじ込むことによって、外殻部２３を回転部材５２に固定することができる。外殻部２３を回転部材５２に固定することによって、手摺り部１０は回動軸部２０を回動軸として上下に回動することができる。
【００３９】
ロータリーダンパー２２は、図２及び図３に示すように、内部にオイルが収納された円筒形の本体部２２Ａと、本体部２２Ａに対して回転する回転軸２２Ｃとを有している。このロータリーダンパー２２は、回転軸２２Ｃの一方向の回転に対して、本体部２２Ａ内のオイルの流動による抵抗を利用して、回転軸２２Ｃに制動力を付与することができる。つまり、回転軸２２Ｃの逆方向の回転に対しては制動力を付与しない。本体部２２Ａは右側（図３において右側）の端面に嵌合凸部２２Ｂを凸設している。この嵌合凸部２２Ｂは、前述したように、回転部材５２の嵌合凹部５７Ｃの形状と相似形であり、本体部２２Ａの中心軸に直交する断面形状が回転軸に直交する略横長矩形状であり、一方の長辺の中央部が外側に円弧状に膨らんでいる。回転軸２２Ｃは、中心軸に直交する断面形状が略横長矩形状であり、両短辺が外側に膨らんだ湾曲形状である。
【００４０】
回動軸部２０は外殻部２３の左側（図３において左側）の開口部２３Ｄを閉鎖する閉鎖部材６１を有している。この閉鎖部材６１はベース部３０の左側（図２において左側）の保持片３２にボルト３２Ａによって固定される。この閉鎖部材６１は、外殻部２３の外周面よりわずかに小さい外周径を有した円盤状の第１円盤部６１Ａと、この第１円盤部６１Ａの右側（図３において右側）の側面に連続して形成され、第１円盤部６１Ａよりも径の小さい第２円盤部６１Ｂとを有している。また、この閉鎖部材６１は第２円盤部６１Ｂの外周面に嵌合したベアリング部材６１Ｃを有している。このベアリング部材６１Ｃは、内周面が第２円盤部６１Ｂの外周面に接しており、外周面が外殻部２３の左側の開口部２３Ｄの内周面に接する大きさに形成されている。さらに、この閉鎖部材６１は、第１円盤部６１Ａと、第２円盤部６１Ｂの中心を貫通した貫通孔６２が設けられている。この貫通孔６２は、ロータリーダンパー２２の回転軸２２Ｃの外形にわずかに大きい相似形に形成されており、回転軸２２Ｃを挿入することができる。
【００４１】
以上の構成を有する跳ね上げ式手摺りは、以下に説明するように、組み付けることができる。
【００４２】
先ず、図３に示すように、回動軸部２０の外殻部２３の右側の開口部２３Ｃからバネユニット２１を挿入する。この際、回転部材２０の本体部５７の外周面に設けられた螺子孔５７Ｄが外殻部２３の側面に貫設した第２貫通孔２３Ｂに重なるようにバネユニット２１を外殻部２３内の挿入する。そして、第２貫通孔２３Ｂを介してボルトを螺子孔５７Ｄにねじ込むことによって、外殻部２３を回転部材５２に固定する。これによって、外殻部２３内にバネユニット２１が組み付けられる。
【００４３】
次に、ロック機構４０を手摺り部１０の第１直線部１１を構成する第１管部１１Ａ内に挿入して取り付ける。その後、手摺り部１０を構成する第３管部材１６の両端部を夫々第１管部１１Ａ内及び第２管部１２Ａ内に挿入し、固定しつつ、操作レバー４１を取り付ける。
【００４４】
次に、回転軸部２０の外殻部２３の左側の開口部２３Ｄからロータリーダンパー２２を挿入する。この際、ロータリーダンパー２２に設けられた嵌合凸部２２Ｂが回転部材５２の本体部５７に設けられた嵌合凹部５７Ｃに嵌合するようにロータリーダンパー２２を外殻部２３内に挿入する。その後、閉鎖部材６１に貫設された貫通孔６２にロータリーダンパー２２の回転軸２２Ｃを挿入しつつ、閉鎖部材６１を外殻部２３の左側の開口部２３Ｄに嵌め込む。これによって、図７に示すように、回転軸部２０の外殻部２３内にバネユニット２１と、ロータリーダンパー２２とが組み付け状態で収納される。
【００４５】
次に、ベース部３０の保持片３２の間に回動軸部２０をボルト３２Ａによって固定することによって、跳ね上げ式手摺りの組み付けが完成する。
【００４６】
この跳ね上げ式手摺りを壁面に固定する際には、図８に示すように、手摺り部は壁面に沿って略垂直方向に延びた退避状態Ａとなる。この状態で、バネユニット２１内のコイル状のねじりバネ５３はねじられた状態に保持されている。このため、ねじりバネ５３の弾性力を手摺り部１０に付与し、手摺り部１０が退避状態Ａから意図せずに下方に回動することを防止することができる。
【００４７】
また、手摺り部１０を退避状態Ａから使用状態Ｂに下ろす際には、バネユニット２１の回転部材５２にねじりバネ５３の弾性力と、ロータリーダンパー２２の制動力とが付与されるため、手摺り部１０はゆっくりと下りる。
【００４８】
手摺り部１０が使用状態Ｂにあるときは、図９及び図１０に示すように、ロック機構４０のストッパー軸４２の先端がバネユニット２１の固定部５１の規制部５５Ｂに設けられた凹部５５Ｄに挿入される。このため、手摺り部１０は使用状態Ｂにロックされている。
【００４９】
手摺り部１０に設けられた操作レバー４１を手摺り部４１の先端側に移動させると、ロック機構４０のストッパー軸４２の先端を凹部５５Ｄから引き出すことができ、ロック機構４０が手摺り部１０を使用状態Ｂにロックしている状態を解除することができる。このため、手摺り部１０を使用状態Ｂから退避状態Ａに跳ね上げることができる。その際、手摺り部１０にロータリーダンパー２２の制動力が付与されず、バネユニット２１のねじりバネ５３の弾性力に助けられて、手摺り部１０を軽い力で跳ね上げることができる。このように、この跳ね上げ式手摺りは、ねじりバネ５３の弾性力及びロータリーダンパー２２の制動力を利用して手摺り部の上げ下げを良好に行うことができる。
【００５０】
この跳ね上げ式手摺りは、ロータリーダンパー２２の耐久年数が経過した際等にロータリーダンパー２２の交換を容易に行うことができる。つまり、ロータリーダンパー２２を交換する際には、壁面にベース部３０を固定したまま、ボルト３２Ａを外して、回動軸部２０をベース部３０の保持片３２の間から取り外す。これによって、回動軸部２０の外殻部２３の左側の開口部２３Ｄからロータリーダンパー２２を取り出すことができる。そして、新しいロータリーダンパー２２を外殻部２３の左側の開口部２３Ｄから挿入して、閉鎖部材６１を外殻部２３の左側の開口部２３Ｄに嵌め込み、再度、回動軸部２０をベース部３０の保持片３２の間に配置し、ボルト３２Ａを締め込んで固定する。このように、この跳ね上げ式手摺りは、ロータリーダンパー２２の交換を容易に行うことができる。
【００５１】
また、この跳ね上げ式手摺りは、ねじりバネ５３の耐久年数が経過した際等にねじりバネ５３の交換も容易に行うことができる。つまり、バネユニット２１を交換する際には、壁面にベース部３０を固定したまま、ボルト３２Ａを外して、回動軸部２０をベース部３０の保持片３２の間から取り外す。さらに、外殻部２３と回転部材５２とを固定するボルトを外すことによって、回動軸部２０の外殻部２３の右側の開口部２３Ｃからバネユニット２１を取り出すことができる。そして、新しいバネユニット２１を外殻部２３の右側の開口部２３Ｃから挿入して、外殻部２３と回転部材５２とをボルトによって固定する。そして、再度、回動軸部２０をベース部３０の保持片３２の間に配置し、ボルト３２Ａを締め込んで固定する。このように、この跳ね上げ式手摺りは、バネユニット２１の交換も容易に行うことができる。
【００５２】
また、ねじりバネ５３はバネユニット内にねじられた状態に保持されて一体化されているため、ねじりバネ５３の弾性力の影響を受けずに回動軸部２０をベース部３０の保持片３２の間から取り外したり、取り付けたりすることができる。また、同様にロータリーダンパー２２や、バネユニット２１を外殻部２３から取り出したり、挿入したりする際にもねじりバネ５３の弾性力の影響を受けないため、ロータリーダンパー２２を容易に交換することができる。
【００５３】
したがって、実施例の跳ね上げ式手摺りは、部品交換を容易に行うことができ、長期間、良好に使用することができる。
【００５４】
本発明は上記記述及び図面によって説明した実施例に限定されるものではなく、例えば次のような実施例も本発明の技術的範囲に含まれる。
（１）実施例では、ロック機構を有しているが、ロック機構を有さなくてもよい。この場合、図１１に示すように、手摺り部に操作レバーを有さない。
（２）実施例では、ねじりバネの左側の端部のみが、コイル状のねじりバネの中心軸から外れており、回転部材のねじりバネの中心軸から外れた位置で連結されているが、右側の端部のみ、又は左右両端部がコイル状のねじりバネの中心軸から外れており、右側の端部は固定部材のねじりバネの中心軸から外れた位置で連結してもよい。この場合、ねじりバネの右側の端部の内面を案内するガイド部を固定部材に設けるとよい。
（３）実施例では、ねじりバネの左側の端部のみが、ねじりバネの中心軸から外れた位置で中心軸に平行な方向に延びているが、右側の端部のみ、又は左右両端部がねじりバネの中心軸から外れた位置で中心軸に平行な方向に延びていてもよい。この場合、ねじりバネの右側の端部に係止する係止面を固定部材に設けるとよい。
【符号の説明】
【００５５】
１０…手摺り部
２０…回動軸部
２１…バネユニット
２３…外殻部
３０…ベース部
５１…固定部材
５２…回転部材
５３…ねじりバネ
５４…基部
５５…軸部
５５Ｂ…規制部
５６…挿通孔
５８…当接部
５８Ａ…当接面
５８Ｂ…係止面
５９…ガイド部
Ａ…退避状態
Ｂ…使用状態
【図１】
0005807999.tif 000002
【図２】
0005807999.tif 000003
【図３】
0005807999.tif 000004
【図４】
0005807999.tif 000005
【図５】
0005807999.tif 000006
【図６】
0005807999.tif 000007
【図７】
0005807999.tif 000008
【図８】
0005807999.tif 000009
【図９】
0005807999.tif 000010
【図１０】
0005807999.tif 000011
【図１１】
0005807999.tif 000012